(57)【要約】      （修正有）【課題】ユーザの腕に装着して使用される携帯機器において、ユーザが走っているときにも、見易く表示情報を表示させる。【解決手段】ユーザＵがランニング等で走行している状態で、左腕ＡＬに装着している携帯端末１０の表示画面１５を見ると、３次元加速度センサにより端末上下方向Ｙに対するユーザＵの進行方向Ｆ（進行角度α）が検出されると共に、左腕ＡＬの振り上げに伴いユーザＵが表示画面１５を視認したことが３次元加速度センサまたは画像撮像部１７によるユーザ顔画像の撮像に基づき検出される。すると、端末上下方向Ｙに対するユーザＵの進行角度αと、前記進行方向Ｆに対して予め設定されたユーザＵの視線角度βとの差分（β−α）に合わせて、表示画面１５の表示情報Ｐを回転させて変位させて表示させる。【選択図】図５
2015022712.tif 000002
【特許請求の範囲】
【請求項１】
情報を表示する表示部と、
ユーザの身体に装着された状態で、当該ユーザの進行方向を検出する進行方向検出手段と、
前記表示部に対するユーザの視認動作を検出する視認動作検出手段と、
この視認動作検出手段によりユーザの視認動作が検出された場合に、前記進行方向検出手段により検出されたユーザの進行方向に応じて前記情報の表示位置を変位させて前記表示部に表示させる変位表示制御手段と、
を備えたことを特徴とする携帯機器。
【請求項２】
前記変位表示制御手段は、前記進行方向検出手段により検出されたユーザの進行方向から予め設定された角度に前記情報の表示位置を回転して変位させて表示させる回転表示制御手段を有する、
ことを特徴とする請求項１に記載の携帯機器。
【請求項３】
前記回転表示制御手段は、
前記表示部の上下方向に対して前記進行方向検出手段により検出されたユーザの進行方向が右にある場合には、当該進行方向から予め設定された角度に前記情報の上下方向が合うように当該情報を前記表示部に対し右回転して表示させる右回転表示制御手段と、
前記表示部の上下方向に対して前記進行方向検出手段により検出されたユーザの進行方向が左にある場合には、当該進行方向から予め設定された角度に前記情報の上下方向が合うように当該情報を前記表示部に対し左回転して表示させる左回転表示制御手段とを有する、
ことを特徴とする請求項２に記載の携帯機器。
【請求項４】
前記進行方向検出手段は、ユーザの腕に装着された状態で、当該ユーザの走行動作を検出する走行動作検出手段を有し、この走行動作検出手段によりユーザの走行動作が検出された状態で、当該ユーザの進行方向を検出する、
ことを特徴とする請求項１ないし請求項３の何れか１項に記載の携帯機器。
【請求項５】
３次元加速度センサを備え、
前記進行方向検出手段は、前記３次元加速度センサにより検出される３次元の加速度に基づいてユーザの進行方向を検出する、
ことを特徴とする請求項１ないし請求項４の何れか１項に記載の携帯機器。
【請求項６】
前記視認動作検出手段は、前記３次元加速度センサにより検出される３次元の加速度に基づいて前記表示部に対するユーザの視認動作を検出する、
ことを特徴とする請求項５に記載の携帯機器。
【請求項７】
前記予め設定された角度は、ユーザ操作に応じて設定されている、
ことを特徴とする請求項２または請求項３に記載の携帯機器。
【請求項８】
前記表示部の表示画面に対面する方向を撮像方向とする撮像部を備え、
前記予め設定された角度は、ユーザが走行時の姿勢で前記撮像部により撮像された当該ユーザの顔画像に基づき視線検出して設定した角度である、
ことを特徴とする請求項２または請求項３に記載の携帯機器。
【請求項９】
情報を表示する表示部を備えた携帯機器のコンピュータを制御するためのプログラムであって、
前記コンピュータを、
前記携帯機器がユーザの身体に装着された状態で、当該ユーザの進行方向を検出する進行方向検出手段、
前記表示部に対するユーザの視認動作を検出する視認動作検出手段、
この視認動作検出手段によりユーザの視認動作が検出された場合に、前記進行方向検出手段により検出されたユーザの進行方向に応じて前記情報の表示位置を変位させて前記表示部に表示させる変位表示制御手段、
として機能させるためのコンピュータ読み込み可能なプログラム。
【発明の詳細な説明】
【技術分野】
【０００１】
本発明は、ユーザの身体に装着して使用される携帯機器およびその制御プログラムに関する。
【背景技術】
【０００２】
従来、ユーザの腕にはめて使用する各種センサ機能やランニング情報の処理機能を備えた腕時計型の携帯機器において、静止している状態で画面の表示情報を見るときには、腕の向きや角度を適当に変えて、ユーザの視線に表示情報の向きが合うようにしている。
【０００３】
表示の向きを見易く調整する技術であって、文字盤の面が平面に対して傾いたり回転したりしても、文字盤上の特定文字の位置が常に一定な位置で静止できる時計装置が考えられている（例えば、特許文献１参照。）。
【０００４】
また、装置本体を斜めに傾けても、表示画像が水平になるようにその画像を回転して変位させて表示させる画像再生装置が考えられている（例えば、特許文献２参照。）。
【先行技術文献】
【特許文献】
【０００５】
【特許文献１】特開２０１１−０１７６９８号公報
【特許文献２】特開２００６−１２９１０１号公報
【発明の概要】
【発明が解決しようとする課題】
【０００６】
前記従来の時計装置や画像再生装置では、その装置における表示の面が水平から傾いたとしても、表示の内容が常に水平になるように調整するものである。
【０００７】
一方、前述した通り、腕時計型の携帯機器では、静止している状態等、ユーザの身体の動きが少ない状態では、腕の向きや角度を適当に変えて、ユーザの視線に表示情報の向きが合うようにできるものの、ランニング等で走っている状態では、腕の向きや角度を表示情報の向きが合うように適当に変えるのは困難である。
【０００８】
つまり、ユーザが走っている状態で腕に装着している情報端末装置の画面を見るには、定常的な腕振り動作から当該端末装置を装着している腕を振り上げたところで一時的に止めて見ることになるが、そのときの画面の向きはユーザの視線よりも進行方向よりに開いてしまうため、表示情報も斜めとなり見辛くなる。
【０００９】
そこで、装置本体に対して表示画面を予め斜めに角度を付けて設けているランニング用の腕時計も実用されているが、走っているとき以外は逆に見辛くなる問題がある。
【００１０】
本発明は、このような課題に鑑みてなされたもので、ユーザが走っているときにも、見易く表示情報を表示させることが可能になる携帯機器およびその制御プログラムを提供することを目的とする。
【課題を解決するための手段】
【００１１】
本発明に係る携帯機器は、情報を表示する表示部と、ユーザの腕に装着された状態で、当該ユーザの進行方向を検出する進行方向検出手段と、前記表示部に対するユーザの視認動作を検出する視認動作検出手段と、この視認動作検出手段によりユーザの視認動作が検出された場合に、前記進行方向検出手段により検出されたユーザの進行方向に応じて前記情報の表示位置を変位させて前記表示部に表示させる変位表示制御手段と、を備えたことを特徴としている。
【００１２】
本発明に係るプログラムは、情報を表示する表示部を備えた携帯機器のコンピュータを制御するためのプログラムであって、前記コンピュータを、前記機器がユーザの腕に装着された状態で、当該ユーザの進行方向を検出する進行方向検出手段、前記表示部に対するユーザの視認動作を検出する視認動作検出手段、この視認動作検出手段によりユーザの視認動作が検出された場合に、前記進行方向検出手段により検出されたユーザの進行方向に応じて前記情報の表示位置を変位させて前記表示部に表示させる変位表示制御手段、として機能させることを特徴としている。
【発明の効果】
【００１３】
本発明によれば、ユーザが走っているときにも、見易く表示情報を表示させることが可能になる。
【図面の簡単な説明】
【００１４】
【図１】本発明のリスト端末表示装置の実施形態に係る腕時計型携帯端末１０の電子回路の構成を示すブロック図。
【図２】前記腕時計型携帯端末１０の外観構成を示す正面図。
【図３】前記腕時計型携帯端末１０の表示制御処理を示すフローチャート。
【図４】前記腕時計型携帯端末１０の視線方向設定処理を示すフローチャート。
【図５】前記腕時計型携帯端末１０の表示制御処理に応じた左腕ＡＬ装着時の表示動作を示す図。
【図６】前記腕時計型携帯端末１０の表示制御処理に応じた右腕ＡＲ装着時の表示動作を示す図。
【発明を実施するための形態】
【００１５】
以下図面により本発明の実施の形態について説明する。
【００１６】
図１は、本発明の携帯機器の実施形態に係る腕時計型携帯端末１０の電子回路の構成を示すブロック図である。
【００１７】
図２は、前記腕時計型携帯端末１０の外観構成を示す正面図である。
【００１８】
この腕時計型携帯端末１０は、ユーザの左右何れかの腕ＡにバンドＢにより装着されて使用されるもので、この携帯端末１０はコンピュータであるＣＰＵ１１を備えている。
【００１９】
このＣＰＵ１１は、メモリ１２に予め記憶された端末制御プログラム、あるいは通信ネットワーク（インターネット等）Ｎ上のＷｅｂサーバ２０から通信部１３を介して前記メモリ１２に読み込まれた端末制御プログラム、あるいは前記通信ネットワークＮに接続可能な多機能携帯電話３０との近距離無線通信Ｗにより通信部１３を介して前記メモリ１２に読み込まれた端末制御プログラムに従い回路各部の動作を制御する。
【００２０】
前記ＣＰＵ１１には、前記メモリ１２、通信部１３が接続される他、各種操作ボタンを有する操作部１４、静電式タッチパネルを有するカラー液晶画面の表示部１５、３次元加速度センサ１６、画像撮像部１７が接続される。
【００２１】
前記メモリ１２に記憶される端末制御プログラムとしては、前記通信部１３を介して外部の有線／無線回線や各種通信機器との通信処理を行う通信処理プログラム、計時処理、タイマ処理、歩数・移動距離等の計測処理、および撮像された顔画像に基づき視線検出処理等を行なう各種アプリケーションプログラム１２ｂ、ユーザの動きに合わせて表示の制御を行うための表示制御処理プログラム１２ａが記憶される。
【００２２】
また、前記メモリ１２には、携帯端末１０の本体上下方向Ｙに対し前記加速度センサ１６により検出されるユーザの進行方向Ｆがなす角度（進行角度）α（図５、図６参照）のデータ１２ｃ、当該進行方向Ｆに対しユーザ設定または前記視線検出に基づき決定されるユーザの視線方向ｙがなす角度（視線角度）β（図５、図６参照）のデータ１２ｄが記憶される。
【００２３】
このように構成された腕時計型携帯端末１０は、プロセッサ（ＣＰＵ）１１が前記端末制御プログラム１２ａ，１２ｂに記述された命令に従い回路各部の動作を制御し、ソフトウエアとハードウエアとが協働して動作することにより、後述の動作説明で述べる表示制御機能を実現する。
【００２４】
次に、前記構成の腕時計型携帯端末１０の表示制御動作について説明する。
【００２５】
図３は、前記腕時計型携帯端末１０の表示制御処理を示すフローチャートである。
【００２６】
図４は、前記腕時計型携帯端末１０の視線方向設定処理を示すフローチャートである。
【００２７】
図５、前記腕時計型携帯端末１０の表示制御処理に応じた左腕ＡＬ装着時の表示動作を示す図である。
【００２８】
図６は、前記腕時計型携帯端末１０の表示制御処理に応じた右腕ＡＲ装着時の表示動作を示す図である。
【００２９】
前記腕時計型携帯端末１０の表示制御処理が起動されると、３次元加速度センサ１６により検出される端末本体に加わる加速度の方向に基づき、ユーザＵのランニング等の走行に伴う進行方向Ｆが検出され、本体上下方向Ｙに対する当該進行方向Ｆのなす角度（進行角度）αが検出される（ステップＳ１）。このユーザＵの進行角度αのデータ１２ｃは、メモリ１２に記憶される。
【００３０】
また、前記加速度センサ１６により検出される加速度に基づき、ユーザＵが停止している状態か否か判断される（ステップＳ２）。
【００３１】
なお、前記ステップＳ１において、ユーザＵの進行方向Ｆが検出されその進行角度αが検出された場合には、前記ステップＳ２において停止状態ではないと判断される（ステップＳ２（Ｎｏ））。
【００３２】
ここで、ユーザＵが停止状態ではないと判断された場合には（ステップＳ２（Ｎｏ））、前記加速度センサ１６によって端末本体が上向きに移動されたことが検知されたか否か、または画像撮影部１７によってユーザＵの顔画像が撮像されたか否かにより、ユーザＵが端末装着中の腕Ａを上げて当該端末１０を視認する動作が検知されたか否かが判断される（ステップＳ３）。
【００３３】
そして、前記ステップＳ３において、ユーザＵが端末１０を視認する動作が検知されないと判断された場合（ステップＳ３（Ｎｏ））、または前記ステップＳ２において、ユーザＵが停止状態であると判断された場合には（ステップＳ２（Ｙｅｓ））、表示部１５の表示情報Ｐを画面の傾きに応じて例えば９０度単位で回転して変位させて表示させる通常の表示方向制御が実行される（ステップＳ４）。例えば端末１０がその画面を見て左の方向に傾けられた場合には、表示情報Ｐは右９０度回転されて表示され、逆に同端末１０がその画面を見て右の方向に傾けられた場合には、表示情報Ｐは左９０度回転されて表示され、更に同端末１０が上下逆に傾けられた場合には、表示情報Ｐは１８０度回転されて表示される。
【００３４】
一方、ユーザＵが端末装着中の腕Ａを上げて当該端末１０を視認する動作が検知されたと判断された場合には（ステップＳ３（Ｙｅｓ））、前記ユーザＵの進行方向Ｆに対する視線方向ｙのなす角度（視線角度）βのデータ１２ｄがメモリ１２内に登録されているか否か判断される（ステップＳ５）。
【００３５】
ここで、前記メモリ１２内に前記ユーザＵの進行方向Ｆに対する視線方向ｙのなす角度（視線角度）β（１２ｄ）が登録されていないと判断された場合には（ステップＳ５（Ｎｏ））、当該視線角度βとして予め設定された初期値（例えばβ＝２０度）が表示制御の使用対象に設定される（ステップＳ６）。
【００３６】
また、前記メモリ１２内に前記ユーザＵの進行方向Ｆに対する視線方向ｙのなす角度（視線角度）β（１２ｄ）が登録されていると判断された場合には（ステップＳ５（Ｙｅｓ））、当該登録された視線角度βが表示制御の使用対象に設定される（ステップＳ７）。
【００３７】
そして、前記端末本体の上下方向Ｙに対する前記ユーザＵの進行方向Ｆ（進行角度α）が、左方向にずれているか否かが判断される（ステップＳ８）。
【００３８】
ここで、図５に示すように、前記端末本体の上下方向Ｙに対する前記ユーザＵの進行方向Ｆ（進行角度α）が、左方向ではなく右方向にずれていると判断された場合には（ステップＳ８（Ｎｏ））、携帯端末１０が左腕ＡＬに装着されている状態であると判定される。そして、表示部１５の画面に対して表示させる表示情報Ｐを、同図５における実線Ｘから点線ｘに示すように、前記進行角度αと視線角度βとの差分の角度（β−α）［絶対値］だけ右方向に回転して変位させて表示させる（ステップＳ９ａ）。
【００３９】
これにより、ユーザＵがランニング等で走っている状態であって、左腕ＡＬに装着した携帯端末１０を当該左腕ＡＬの振り上げに伴い見るときでも、ユーザに見易く表示情報を表示させることが可能になる。
【００４０】
また、図６に示すように、前記端末本体の上下方向Ｙに対する前記ユーザＵの進行方向Ｆ（進行角度α）が、左方向にずれていると判断された場合には（ステップＳ８（Ｙｅｓ））、携帯端末１０が右腕ＡＲに装着されている状態であると判定される。そして、表示部１５の画面に対して表示させる表示情報Ｐを、同図６における実線Ｘから点線ｘに示すように、前記進行角度αと視線角度βとの差分の角度（β−α）［絶対値］だけ左方向に回転して変位させて表示させる（ステップＳ９ｂ）。
【００４１】
これにより、ユーザＵがランニング等で走っている状態であって、右腕ＡＲに装着した携帯端末１０を当該右腕ＡＲの振り上げに伴い見るときでも、ユーザに見易く表示情報を表示させることが可能になる。
【００４２】
なおここで、前記メモリ１２内に前記ユーザＵの進行方向Ｆに対する視線方向ｙのなす角度（視線角度）βのデータ１２ｄを登録する処理（視線方向設定処理：図４参照）について説明する。
【００４３】
この視線方向設定処理が起動されると、端末本体１０に画像撮像部（カメラ）１７が備えられているか否かが判断される（ステップＴ１）。
【００４４】
端末本体１０に画像撮像部（カメラ）１７が備えられていると判断された場合は（ステップＴ１（Ｙｅｓ））、ユーザＵが腕ＡＬ（又はＡＲ）に装着した端末本体１０を走行時の姿勢で見ている状態が、当該画像撮影部１７によってユーザＵの顔画像が撮像されたことにより検知され、この顔画像に基づきユーザＵが表示部１５の画面を見る方向が視線検出処理プログラムに従い検出される（ステップＴ２ｃ）。
【００４５】
ここで、ユーザＵが表示部１５の画面を見る方向が検出されると、当該検出された方向に合わせて表示部１５の画面に対する表示情報Ｐが回転されて表示される（ステップＴ３）。
【００４６】
そして、前記ユーザＵの進行方向Ｆに対し前記視線検出された視線方向ｙのなす角度（視線角度）βのデータ１２ｄがメモリ１２に登録される（ステップＴ４）。
【００４７】
一方、端末本体１０に画像撮像部（カメラ）１７が備えられていないと判断された場合は（ステップＴ１（Ｎｏ））、操作部１４のボタン操作に応じた表示情報Ｐの回転処理、または表示部１５の画面に対するタッチ操作に応じた表示情報Ｐの回転処理により、当該表示情報Ｐを、ユーザＵがその走行時に見やすい方向にマニュアルにより設定する（ステップＴ２ｍ）。
【００４８】
すると、前記マニュアル設定された方向に合わせて表示部１５の画面に対する表示情報Ｐが回転されて表示される（ステップＴ３）。
【００４９】
そして、前記ユーザＵの進行方向Ｆに対し前記マニュアル設定された見やすい方向のなす角度（視線角度）βのデータ１２ｄがメモリ１２に登録される（ステップＴ４）。
【００５０】
したがって、前記構成の腕時計型携帯端末１０の表示制御機能によれば、ユーザＵがランニング等で走行している状態で、腕Ａに装着している携帯端末１０の表示画面を見ると、３次元加速度センサ１６により端末上下方向Ｙに対するユーザＵの進行方向Ｆ（進行角度α）が検出されると共に、腕Ａの振り上げに伴いユーザＵが前記表示画面（１５）を視認したことが同３次元加速度センサ１６または画像撮像部１７によるユーザ顔画像の撮像に基づき検出される。すると、前記端末上下方向Ｙに対するユーザＵの進行角度αと、前記進行方向Ｆに対して予め設定されたユーザＵの視線角度βとの差分（β−α）に合わせて、表示画面（１５）の表示情報Ｐをその上下方向が合うように回転させて表示させる。
【００５１】
このため、ユーザＵがジョギング等で走行していても、腕Ａに装着した携帯端末１０の表示画面（１５）を見る際に、その表示情報Ｐを適切に回転して変位させて見易く表示できる。
【００５２】
また、前記構成の腕時計型携帯端末１０の表示制御機能によれば、携帯端末１０の上下方向Ｙに対するユーザＵの進行方向Ｆが右方向にずれている場合には、前記表示画面（１５）の表示情報Ｐを前記進行角度αと前記視線角度βとの差分（β−α）に合わせて右方向に回転して変位させて表示させ、また、前記進行方向Ｆが左方向にずれている場合には、前記表示情報Ｐを前記差分（β−α）に合わせて左方向に回転して変位して表示させる。
【００５３】
このため、本携帯端末１０をユーザＵの左腕ＡＬまたは右腕ＡＲの何れに装着していても、その表示情報Ｐを適切に回転して変位させて見易く表示できる。
【００５４】
また、前記構成の腕時計型携帯端末１０の表示制御機能によれば、前記３次元加速度センサ１６により検出される加速度に基づきユーザＵが走行状態にないと判断された場合には、表示画面（１５）の傾きに応じてその表示情報Ｐを例えば９０度単位で逆方向に回転させてして変位して表示させる。
【００５５】
このため、ユーザＵが静止しているときに、例えば腕Ａから外した本携帯端末１０をどのような向きにしても、その表示情報Ｐを適切に回転して変位させて見易く表示できる。
【００５６】
また、前記構成の腕時計型携帯端末１０の表示制御機能によれば、前記ユーザ進行方向Ｆに対する予め設定されたユーザＵの視線角度βは、操作ボタン１４または表示画面（１５）のタッチ操作により表示情報Ｐを実際に回転表示させてユーザ任意に設定した角度か、あるいはユーザＵの走行姿勢での表示画面（１５）の視認に伴い画像撮像部１７により撮像された顔画像から視線検出して設定した角度に基づき登録される。
【００５７】
このため、ユーザＵがジョギング等での走行時に携帯端末１０の表示画面（１５）を見る際に、その表示情報Ｐをユーザが見易いより適切な角度に回転して変位させて表示できる。
【００５８】
なお、前記実施形態においては、表示情報Ｐのほぼ中央を所定角度だけ回転するようにしたが、表示情報Ｐを表示範囲内で、表示情報Ｐ外の点を中心に移動しつつ回転して位置を変位させるようにしても良い。
【００５９】
なお、前記実施形態において記載したリスト端末表示装置（腕時計型携帯端末１０）による各処理の手法、すなわち、図３のフローチャートに示す表示制御処理、図４のフローチャートに示す視線方向設定処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（図示せず）に格納して配布することができる。そして、３次元加速度センサ（１６）および表示部（１５）を備えた腕時計型電子機器のコンピュータは、この外部記録媒体に記録されたプログラムを記憶装置（１２）に読み込み、この読み込んだプログラムによって動作が制御されることにより、前記実施形態において説明したユーザ走行状態での表示情報回転表示機能を実現し、前述した手法による同様の処理を実行することができる。
【００６０】
また、前記各手法を実現するためのプログラムのデータは、プログラムコードの形態としてネットワーク上を伝送させることができ、このプログラムデータを、３次元加速度センサ（１６）および表示部（１５）を備えた腕時計型電子機器のコンピュータに通信によって取り込むことで、前述したユーザ走行状態での表示情報回転表示機能を実現することもできる。
【００６１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６２】
以下に、本願出願の当初の特許請求の範囲に記載された発明を付記する。
【００６３】
［１］
情報を表示する表示部と、
ユーザの身体に装着された状態で、当該ユーザの進行方向を検出する進行方向検出手段と、
前記表示部に対するユーザの視認動作を検出する視認動作検出手段と、
この視認動作検出手段によりユーザの視認動作が検出された場合に、前記進行方向検出手段により検出されたユーザの進行方向に応じて前記情報の表示位置を変位させて前記表示部に表示させる変位表示制御手段と、
を備えたことを特徴とする携帯機器。
【００６４】
［２］
前記変位表示制御手段は、前記進行方向検出手段により検出されたユーザの進行方向から予め設定された角度に前記情報の表示位置を回転して変位させて表示させる回転表示制御手段を有する、
ことを特徴とする［１］に記載の携帯機器。
【００６５】
［３］
前記回転表示制御手段は、
前記表示部の上下方向に対して前記進行方向検出手段により検出されたユーザの進行方向が右にある場合には、当該進行方向から予め設定された角度に前記情報の上下方向が合うように当該情報を前記表示部に対し右回転して表示させる右回転表示制御手段と、
前記表示部の上下方向に対して前記進行方向検出手段により検出されたユーザの進行方向が左にある場合には、当該進行方向から予め設定された角度に前記情報の上下方向が合うように当該情報を前記表示部に対し左回転して表示させる左回転表示制御手段とを有する、
ことを特徴とする［２］に記載の携帯機器。
【００６６】
［４］
前記進行方向検出手段は、ユーザの腕に装着された状態で、当該ユーザの走行動作を検出する走行動作検出手段を有し、この走行動作検出手段によりユーザの走行動作が検出された状態で、当該ユーザの進行方向を検出する、
ことを特徴とする［１］ないし［３］の何れかに記載の携帯機器。
【００６７】
［５］
３次元加速度センサを備え、
前記進行方向検出手段は、前記３次元加速度センサにより検出される３次元の加速度に基づいてユーザの進行方向を検出する、
ことを特徴とする［１］ないし［４］の何れかに記載の携帯機器。
【００６８】
［６］
前記視認動作検出手段は、前記３次元加速度センサにより検出される３次元の加速度に基づいて前記表示部に対するユーザの視認動作を検出する、
ことを特徴とする［５］に記載の携帯機器。
【００６９】
［７］
前記予め設定された角度は、ユーザ操作に応じて設定されている、
ことを特徴とする［２］または［３］に記載の携帯機器。
【００７０】
［８］
前記表示部の表示画面に対面する方向を撮像方向とする撮像部を備え、
前記予め設定された角度は、ユーザが走行時の姿勢で前記撮像部により撮像された当該ユーザの顔画像に基づき視線検出して設定した角度である、
ことを特徴とする［２］または［３］に記載の携帯機器。
【００７１】
［９］
情報を表示する表示部を備えた携帯機器のコンピュータを制御するためのプログラムであって、
前記コンピュータを、
前記携帯機器がユーザの身体に装着された状態で、当該ユーザの進行方向を検出する進行方向検出手段、
前記表示部に対するユーザの視認動作を検出する視認動作検出手段、
この視認動作検出手段によりユーザの視認動作が検出された場合に、前記進行方向検出手段により検出されたユーザの進行方向に応じて前記情報の表示位置を変位させて前記表示部に表示させる変位表示制御手段、
として機能させるためのコンピュータ読み込み可能なプログラム。
【符号の説明】
【００７２】
１０  …腕時計型携帯端末
１１  …ＣＰＵ
１２  …メモリ
１２ａ…表示制御プログラム
１２ｂ…各種アプリケーションプログラム
１２ｃ…本体上下方向Ｙに対するユーザ進行方向Ｆ（進行角度α）のデータ
１２ｄ…ユーザ進行方向Ｆに対するユーザ視線方向ｙ（視線角度β）のデータ
１３  …通信部
１４  …操作ボタン
１５  …表示部（タッチパネル式）
１６  …加速度センサ
１７  …画像撮像部（カメラ）
２０  …Ｗｅｂサーバ
３０  …多機能携帯電話
ＡＬ  …左腕
ＡＲ  …右腕
Ｐ  …表示情報
【図１】
2015022712.tif 000003
【図２】
2015022712.tif 000004
【図３】
2015022712.tif 000005
【図４】
2015022712.tif 000006
【図５】
2015022712.tif 000007
【図６】
2015022712.tif 000008